(57)【特許請求の範囲】
【請求項１】
感光体ドラムの表面電位を所定電位に帯電させ、画像信号に対応して光を該感光体ドラムの表面に照射し、該表面電位を光減衰させ静電潜像を形成し、この静電潜像に対応させて静電潜像と同一極性に帯電させたトナーを所定の現像バイアス値に印加された現像器を介して付着させ、該感光体ドラムの表面にトナー画像を形成させるようにした画像形成方法において、
該感光体ドラムの帯電開始後、現像バイアスをＯＦＦ状態としたまま、ほぼ１回転分だけの帯電領域について光を該感光体ドラムの表面に照射し、その表面電位を光減衰させ残留電位レベルとし、前記感光体ドラムの帯電後の表面電位が定常の飽和値に到達した後に、定常の現像バイアス値を前記現像器に印加することを特徴とする二成分現像剤を用いた画像形成方法。
【請求項２】
感光体ドラムと、該感光体ドラムの表面電位を所定電位に帯電させるための帯電器と、該感光体ドラム上に光を照射して該感光体ドラム表面に静電潜像を形成する露光手段と、所定の現像バイアス値に印加され、静電潜像と同一極性に帯電させたトナーを該感光体ドラム表面の静電潜像に対応させて付着させる現像器とを具備してなる画像形成装置において、
該感光体ドラムの帯電開始後、現像バイアスをＯＦＦ状態としたまま、ほぼ１回転分だけの帯電領域について光を該感光体ドラムの表面に照射し、その表面電位を光減衰させ残留電位レベルとし、前記感光体ドラムの帯電後の表面電位が定常の飽和値に到達した後に、定常の現像バイアス値を前記現像器に印加するように上記露光手段および現像器のタイミングを構成したことを特徴とする二成分現像剤を用いた画像形成装置。
【発明の詳細な説明】
【０００１】
【産業上の利用分野】
本発明は、トナーとキャリヤとからなる二成分現像剤を用いた乾式画像形成方法および画像形成装置、例えば電子写真複写機、プリンタ等に関する。
【０００２】
【従来の技術】
トナーとキャリヤとからなる二成分現像剤を用いた乾式画像形成は、従来、例えば図４に示すような電子写真複写装置を用いて行われている。すなわち、装置本体内のほぼ中央部に像担持体としての感光体ドラム１が回転自在に設けられ、その周囲に、その回転方向（矢印方向ａ）に沿って、帯電装置２、現像ローラ４ａを備えた現像装置４、転写装置５、剥離装置６、クリ−ニング装置７、および除電装置８が順次配設されている。さらに、装置本体内上部には、帯電装置２と現像装置４との間に前記原稿ガラス９上にセットされた原稿Ｄの画像情報を露光する光学系移動式の露光装置１０が設けられている。
【０００３】
また、装置本体内には、カセット装着部１１に装着された給紙カセットから給紙された用紙Ｐを、転写装置５と感光体ドラム１との間の画像転写部１５を経てコピ−受１６に導く用紙搬送路１７が形成されている。
【０００４】
用紙搬送路１７には、画像転写部１５よりも上流側に位置して整位手段としてのレジストロ−ラ対１８が、また、画像転写部１５よりも下流側に定着装置１９、および排紙ロ−ラ対２０が配設されている。
なお、カセット装着部１１の下流側には用紙Ｐを搬送する給紙ロ−ラ２１などが配置されている。
なお、図中２２は原稿ガラス９上にセットされた原稿を照射するための蛍光灯キャリッジである。
このような装置を用いての画像形成プロセスについて、感光体ドラム１、現像ローラ４ａを中心として説明する。
【０００５】
まず、プリントスイッチＯＮにより、原稿ガラス９上にセットされた原稿Ｄをキャリッジ２２の蛍光灯で照射し、その原稿からの反射光を各ミラーを通して露光装置１０のＣＣＤセンサー１４に集光し画像信号として原稿Ｄを読み取る。この画像信号は画像処理回路（図示しない）により処理され、処理後の画像信号に応じたレーザーをレーザーユニット１２のレーザーダイオード（図示しない）より発光させ、レーザーダイオードからの光束をコリメータレンズにより集光させ、ｆ−θレンズ、ミラー等を経て感光体ドラム１上に静電潜像の形で記録する。
【０００６】
他方、同じくプリントスイッチＯＮにより、メインモータ（図示しない）が動作を始め、感光体ドラム１が矢線ａ方向に回動を始める。同時に帯電装置２がＯＮすることで感光体ドラム１の表面が例えば−６５０Ｖになるように帯電を始める。ついで、原稿画像に対応したレーザー光が感光体ドラム１上に集光されることで、画像部の電位は光減衰し、例えば−１５０Ｖ程度の感光体電位となる。他方、現像器４の現像ローラ４ａは例えば−４５０Ｖに予め設定されており、現像剤は乾式２成分現像剤であって、トナーは（−）極性を帯びているので、感光体ドラム１上の高電位部にはトナーは付着せず、レーザー光を受けた−１５０Ｖ程度の低い電位部には、クーロン力によりトナーが付着する。その結果、原稿画像に対応したレーザー光に準じてトナー画像が感光体ドラム１上に形成されることになる。
【０００７】
このトナー画像は、カセットから供給された用紙（転写紙）Ｐに（＋）極性のコロナを転写装置５から付与することで、用紙Ｐ上に形成されることになる。トナー像が形成された用紙Ｐは剥離装置６により感光体ドラム１表面より剥離され、用紙搬送路１７上を通過し、定着装置１９内にて熱定着されることになる。
【０００８】
【発明が解決しようとする課題】
しかし、このような電子複写装置を朝、最初に使用するとき、あるいは長い時間をおいて間欠使用するとき、図５に示すように、帯電装置２がＯＮして感光体ドラム１表面が帯電し始める最初の１回転相当部分は、感光体本来の特性により、表面電位が所定の飽和値に達せず、所定表面電位（−６５０Ｖ）より約１５０Ｖ低くなることが見出だされている。そのため図６に示すような従来のメインモータ、感光体ドラム帯電開始、レーザー露光、現像バイアスについての一般的タイミング例（１回転はほぼ１秒に相当）から分かるように、感光体ドラム１の帯電部分が回動され現像部に到達した時に現像器４の現像バイアスが印加されるので、前記の感光体ドラム１のほぼ１回転相当部分は正規の現像状態からバランスが崩れ、その表面電位の低下により、いわゆるかぶりが発生してしまう。そのため、トナー消費量が増大し、トナーが飛散して装置内部を汚したりするなどの弊害が発生していた。
【０００９】
本発明は、上記事情に鑑みてなされたものであって、このような感光体ドラム表面の初期帯電時のバランスの崩れによる弊害を解消し、トナー消費量の節減を図るとともに、トナーの飛散など弊害を防止し得る画像形成方法並びに装置を提供することを目的とする。
【００１０】
【課題を解決するための手段】
本発明は上記課題を解決するため、感光体ドラムの表面電位を所定電位に帯電させ、画像信号に対応して光を該感光体ドラムの表面に照射し、該表面電位を光減衰させ静電潜像を形成し、この静電潜像に対応させて静電潜像と同一極性に帯電させたトナーを所定の現像バイアス値に印加された現像器を介して付着させ、該感光体ドラムの表面にトナー画像を形成させるようにした画像形成方法において、該感光体ドラムの帯電開始後、現像バイアスをＯＦＦ状態としたまま、ほぼ１回転分だけの帯電領域について光を該感光体ドラムの表面に照射し、その表面電位を光減衰させ残留電位レベルとし、前記感光体ドラムの帯電後の表面電位が定常の飽和値に到達した後に、定常の現像バイアス値を前記現像器に印加することを特徴とする二成分現像剤を用いた画像形成方法を提供する。
【００１１】
また、本発明は、感光体ドラムと、該感光体ドラムの表面電位を所定電位に帯電させるための帯電器と、該感光体ドラム上に光を照射して該感光体ドラム表面に静電潜像を形成する露光手段と、所定の現像バイアス値に印加され、静電潜像と同一極性に帯電させたトナーを該感光体ドラム表面の静電潜像に対応させて付着させる現像器とを具備してなる画像形成装置において、
該感光体ドラムの帯電開始後、現像バイアスをＯＦＦ状態としたまま、ほぼ１回転分だけの帯電領域について光を該感光体ドラムの表面に照射し、その表面電位を光減衰させ残留電位レベルとし、前記感光体ドラムの帯電後の表面電位が定常の飽和値に到達した後に、定常の現像バイアス値を前記現像器に印加するように上記露光手段および現像器のタイミングを構成したことを特徴とする二成分現像剤を用いた画像形成装置を提供する。
【００１８】
【作用】
本発明では、感光体ドラムの帯電開始後のほぼ１回転分のタイミングに相当する分だけ（すなわち、感光体ドラムの帯電開始後感光体ドラムの表面電位が所定の飽和値に達するまでの時間帯）、現像器からトナーまたはキャリアが感光体ドラムに向けて間違って飛ばないように、感光体ドラムの表面電位を残留電位まで減衰させ、その間現像バイアスをＯＦＦとするようにタイミングを構成したため、感光体ドラムの帯電開始時に感光体ドラムの表面電位の低下によるかぶりの発生、トナー消費量の増大、トナー飛散などを有効に防止することができる。
【００１９】
【実施例】
以下、図示の実施例を参照して本発明をより具体的に説明する。
【００２０】
通常の乾式２成分現像および（−）極性の感光体を採用した反転現像においては、（表面電位）−（現像バイアス値）の差が絶対値で１００Ｖ程度より小さいと、かぶりが発生し、また（表面電位）−（現像バイアス値）の差が絶対値で３００Ｖ程度より大きいと、キャリア付着が発生する。そのため図３に示すように、通常、標準現像条件として表面電位を例えば−６５０Ｖとし、現像バイアス値を例えば−４５０Ｖとし、電位差が−２００Ｖになるように設定されている。しかしながら、感光体ドラムの帯電開始後のほぼ１回転目は表面電位がこの飽和値まで達せず、−５００Ｖ程度となり、現像バイアス値との差が５０Ｖ程度となり、前記条件によりかぶりが発生してしまう。
【００２１】
そこで、本発明の参考例では、図１に示すように感光体ドラムの帯電開始のほぼ１回転分（１．１秒間）のタイミングに相当する分だけ現像バイアス値を感光体ドラムの表面電位より適当に低くなるように（図中斜線部分の現像バイアス値を例えば−３５０Vとする）タイミングを構成する。また、本発明では、図２に示すように感光体ドラムの帯電開始のほぼ１回転分（１．１秒間）のタイミングに相当する分だけレーザー露光により感光体ドラムの表面電位を残留電位まで減衰させ、その間（１．４５秒間）現像バイアスをＯＦＦとするようにタイミングを構成する。
【００２３】
このようなタイミングの構成により感光体ドラムの表面電位が定常の飽和値（例えば、−６５０V）に完全に到達したのちに現像器の現像バイアスが定常値（例えば−４５０V）に印加されることになる。したがって、上述のようなかぶりの発生、トナーの飛散などを未然に防止することが出来る。
【００２４】
【発明の効果】
以上詳述したように、本発明によれば、感光体ドラムの帯電開始後のほぼ１回転分のタイミングに相当する分だけ感光体ドラムの表面電位を残留電位まで減衰させ、その間現像バイアスをＯＦＦとするようにタイミングを構成したため、感光体ドラムの帯電開始時における感光体ドラムの表面電位の低下によるかぶりの発生、トナー消費量の増大、トナー飛散などを有効に防止することができる。
【図面の簡単な説明】
【図１】本発明の方法を説明するための装置相互間のタイミング図。
【図２】本発明の方法を説明するための装置相互間タイミング図。
【図３】本発明の方法を説明するための装置要部を示す模式図。
【図４】電子複写装置の全体構成を示す模式図。
【図５】感光体ドラムの表面電位の波形を示す線図。
【図６】従来の方法を説明するための装置相互間タイミング図。
【符号の説明】
１…感光体ドラム、２…帯電装置、４…現像装置、４ａ…現像ローラ、５…転写装置、６…剥離装置、７…クリ−ニング装置、８…除電装置、９…原稿ガラス、１０…露光装置、１１…カセット装着部、１２…レーザーユニット、１４…ＣＣＤセンサー、１５…画像転写部、１６…コピ−受、１７…用紙搬送路、１９…定着装置、２０…排紙ロ−ラ対、２１…給紙ロ−ラ、２２…蛍光灯キャリッジ。
【図１】
0003545775.tif 000002
【図２】
0003545775.tif 000003
【図３】
0003545775.tif 000004
【図４】
0003545775.tif 000005
【図５】
0003545775.tif 000006
【図６】
0003545775.tif 000007